(57)【特許請求の範囲】
【請求項１】
正面側にスクリーン面を有するとともに、裏面側に貼着層を有するスクリーンシートと、
該スクリーンシートを前記スクリーン面が内側となるように巻取る巻取り軸としての軸部材と、
該軸部材を回転自在に支持する支持部材とを備え、  
前記支持部材を把握して、前記スクリーンシートが巻取られる前記軸部材を、貼着対象面上を転がしながら移動させることで、前記スクリーンシートを該貼着対象面上に貼着展張し、又は巻取り可能としたことを特徴とするロール式スクリーン装置。
【請求項２】
前記支持部材に、該支持部材を前記貼着対象面に付着させるための付着手段を設けてなる請求項１記載のロール式スクリーン装置。
【請求項３】
前記スクリーンシートの前記軸部材外面に固定される固定端と反対側の端部にエンドバーを設け、該エンドバーに、該エンドバーを前記貼着対象面に付着させるための第２の付着手段を設けてなる請求項１又は２記載のロール式スクリーン装置。
【請求項４】
前記支持部材に、前記エンドバーに着脱可能に連結される連結部を設けてなり、
前記支持部材を移動させて前記スクリーンシートを前記軸部材に巻取り、前記連結部を貼着対象面に付着している前記エンドバーに連結した状態で、更に前記支持部材を前記軸部材の軸中心に前記連結部が前記エンドバーから遠ざかる方向に回動させることで、該連結部を介して前記エンドバーを貼着対象面から離脱させることができる請求項３記載のロール式スクリーン装置。
【請求項５】
前記エンドバーの中央に前記連結部に係合する係合部を設け、同じく中央の前記貼着対象面に対面する位置に前記第２の付着手段を設けてなる請求項４記載のロール式スクリーン装置。
【発明の詳細な説明】
【技術分野】
【０００１】
本発明は、黒板や壁面等に用いるロール式スクリーン装置に関わり、更に詳しくは、スクリーンシートを繰り出しながら貼着対象面に貼り付けることで、迅速且つ綺麗にスクリーンの展張を行うことができるマグネットスクリーン装置に関するものである。
【背景技術】
【０００２】
従来、黒板に用いるスクリーンとして、前面側にスクリーン面を有するとともに、後面側に磁力を有するスクリーンシートと、該スクリーンシートを巻き取る巻取ロールと、前記スクリーンシートと前記巻取ロールとの間に介装され、伸縮性を有する連結部材とを備えてなることを特徴とするマグネットスクリーン装置がある（例えば、特許文献１。）。
【０００３】
このマグネットスクリーン装置は、凹曲黒板のような左右方向に沿って湾曲する面に引き下げ型として取付ける場合であっても、伸縮性を有する連結部材が黒板と巻取手段との間のギャップの差を吸収するため、スクリーン面に歪みや皺、弛みが生じない状態でスクリーンシートを凹曲黒板に展張することができるものである。
【先行技術文献】
【特許文献】
【０００４】
【特許文献１】特開２０１４−３５５１２号公報
【発明の概要】
【発明が解決しようとする課題】
【０００５】
しかし、このマグネットスクリーン装置は、一般的なロール式スクリーンと同様に、スクリーンシートの貼着領域の全てを引き出してから黒板に貼りつけてスクリーンを展張するものであるため、貼りつける際にスクリーンシートが自重によって撓んだり、黒板とスクリーンシートとの間に空気が入ったりして、展張したスクリーンに皺や弛みが生じやすく、綺麗に貼りつけることが難しいものとなっていた。
【０００６】
本発明が前述の状況に鑑み解決しようとするところは、スクリーンシートを繰り出しながら貼着対象面に貼り付けることで、迅速且つ綺麗にスクリーンの展張を行うことができるロール式スクリーン装置を提供する点にある。
【課題を解決するための手段】
【０００７】
本発明に係るロール式スクリーン装置は、前記課題解決のために、正面側にスクリーン面を有するとともに、裏面側に貼着層を有するスクリーンシートと、該スクリーンシートを前記スクリーン面が内側となるように巻取る巻取り軸としての軸部材と、該軸部材を回転自在に支持する支持部材とを備え、前記支持部材を把握して、前記スクリーンシートが巻取られる前記軸部材を、貼着対象面上を転がしながら移動させることで、前記スクリーンシートを該貼着対象面上に貼着展張し、又は巻取り可能としたことを特徴とする。
【０００８】
ここで、前記支持部材に、該支持部材を前記貼着対象面に付着させるための付着手段を設けてなると好ましい。
【０００９】
また、前記スクリーンシートの前記軸部材外面に固定される固定端と反対側の端部にエンドバーを設け、該エンドバーに、該エンドバーを前記貼着対象面に付着させるための第２の付着手段を設けてなるとより好ましい。
【００１０】
さらに、前記支持部材に、前記エンドバーに着脱可能に連結される連結部を設けてなり、
前記支持部材を移動させて前記スクリーンシートを前記軸部材に巻取り、前記連結部を貼着対象面に付着している前記エンドバーに連結した状態で、更に前記支持部材を前記軸部材の軸中心に前記連結部が前記エンドバーから遠ざかる方向に回動させることで、該連結部を介して前記エンドバーを貼着対象面から離脱させることができるものであってもよい。
【００１１】
さらにまた、前記エンドバーの中央に前記連結部に係合する係合部を設け、同じく中央の前記貼着対象面に対面する位置に前記第２の付着手段を設けてなるものとすることができる。
【発明の効果】
【００１２】
本発明に係るロール式スクリーン装置によれば、前記支持部材を把握して、前記スクリーンシートが巻取られる前記軸部材を、貼着対象面上を転がしながら移動させることで、前記スクリーンシートを該貼着対象面上に貼着展張し、又は巻取りすることができるため、迅速且つ綺麗にスクリーンの展張又は巻取りを行うことができる。
【００１３】
ここで、前記支持部材に、該支持部材を前記貼着対象面に付着させるための付着手段を設けてなるものによれば、スクリーンシートを貼着した後、支持部材を貼着対象面に貼着して固定することができるため、展張した状態で支持部材の荷重がスクリーンシートにかからず、展張したスクリーンをより安定して保持することができる。
【００１４】
また、前記スクリーンシートの前記軸部材外面に固定される固定端と反対側の端部にエンドバーを設け、該エンドバーに、該エンドバーを前記貼着対象面に付着させるための第２の付着手段を設けてなるものによれば、スクリーンを展張する際に、まずロール式スクリーン装置を展張予定位置に、第２の付着手段を用いて簡易固定してからスクリーンシートの貼りつけることができるため、展張位置の調整が容易となる。
【００１５】
さらに、前記支持部材に、前記エンドバーに着脱可能に連結される連結部を設けてなり、
前記支持部材を移動させて前記スクリーンシートを前記軸部材に巻取り、前記連結部を貼着対象面に付着している前記エンドバーに連結した状態で、更に前記支持部材を前記軸部材の軸中心に前記連結部が前記エンドバーから遠ざかる方向に回動させることで、該連結部を介して前記エンドバーを貼着対象面から離脱させることができるものによれば、第２の付着手段の取外しが容易となるうえ、取外しの後にはスクリーンシートの繰出しが規制されているため、そのまま収納することが可能となる。
【００１６】
さらにまた、前記エンドバーの中央に前記連結部に係合する係合部を設け、同じく中央の前記貼着対象面に対面する位置に前記第２の付着手段を設けてなると、これらが同じく中央に位置することによって、支持部材を用いて第２の付着手段を取り外すことが更に容易なものとなる。
【図面の簡単な説明】
【００１７】
【図１】本発明の実施形態に係るロール式スクリーン装置の構成を示す斜視図である。
【図２】同じくロール式スクリーン装置を黒板に簡易固定した状態を示す斜視図である。
【図３】同じくロール式スクリーン装置を黒板に展張した状態を示す斜視図である。
【図４】同じくロール式スクリーン装置を黒板に展張する手順を示す説明図であり、（ａ）は黒板に簡易固定した状態を示す側面図、（ｂ）はフックから連結バーを外した状態を示す側面図、（ｃ）は軸部材を回転させてスクリーンシートを繰り出しながら黒板に貼りつけている状態を示す側面図、（ｄ）はスクリーンを展張した状態を示す側面図である。
【図５】同じくロール式スクリーン装置の凹曲面への簡易固定の手順を示す説明図であり、（ａ）はスクリーンシートが巻きつけられた軸部材を黒板に当接させた状態を示す平面図、（ｂ）は支持部材を操作することで簡易固定用磁石を黒板に貼りつけた状態を示す平面図である。
【図６】同じくロール式スクリーン装置の凹曲面への簡易固定の手順を示す説明図であり、（ａ）はスクリーンシートが巻きつけられた軸部材を黒板に当接させた状態を示す縦断面図、（ｂ）は支持部材を操作することで簡易固定用磁石を黒板に貼りつけた状態を示縦断面図である。
【図７】本発明の他の実施形態に係るロール式スクリーン装置の構成を示す斜視図である。
【発明を実施するための形態】
【００１８】
次に、本発明の実施の形態を添付図面に基づき詳細に説明するが、本発明は、添付図面に示された形態に限定されず特許請求の範囲に記載の要件を満たす実施形態の全てを含むものである。
【００１９】
本明細書において、展張状態におけるスクリーンシートのスクリーン面側をロール式スクリーン装置の正面とし、これの反対面である貼着面側を裏面とする。
【００２０】
本実施形態に係るロール式スクリーン装置１は、図１乃至図３に示すように、黒板Ｂに貼りつけることで黒板Ｂの一部を映写用のスクリーンとして使用することができるものであって、正面側にスクリーン面を有するとともに、裏面側に貼着層を有するスクリーンシート２と、スクリーンシート２をスクリーン面が内側となるように巻取る巻取り軸としての軸部材３と、軸部材３を回転自在に支持する支持部材４とを備えたものである。
ここで、ロール式スクリーン装置１は、映写用のスクリーンとして使用するものであるが、これに限定されず、例えば電子黒板やホワイトボードとしても使用することができる。
また、貼着方法については、支持部４を上から下方向へ向かって移動させながらスクリーンシート２を貼りつけているが、下から上方向へ移動させ、又は左右何れかの横方向に水平に移動させながら貼りつけるものとしてもよい。
【００２１】
スクリーンシート２は、正面側の全面がスクリーン面として、裏面側が黒板Ｂへ貼着するための貼着層としてマグネット層を有するものとして構成されている。このため、黒板Ｂに対してスクリーンシート２の全面が磁力で貼りつくことで、黒板Ｂにスクリーンを展張することができる。
また、このスクリーンシート２は、軸部材３に巻きつけられており、軸部材３内に設けたバネによって巻き取られる方向に付勢されている。ここで、スクリーンシート２の繰出し及び巻取りは、スクリーンシート２の操作によってその付勢力の解除を可能とする、一般的なバネによるものとして構成されているが、これに限らず、例えば電動式として構成することでスクリーンシート２の繰出し及び巻取りを自動で行うものであってもよい。
なお、スクリーンシート２の裏面の貼着層は、マグネット層にように磁力によるものに限らず、スクリーンシート２を壁面に貼りつけることが可能なものであればよく、例えば、接着力や分子間力を有するものであってもよい。
【００２２】
軸部材３は、スクリーンシート３を巻きつける巻取り軸であって、細長い筒状に形成され、その断面は円形に形成されている。このため、黒板Ｂに押しあてられた状態でもスムーズに回転することができ、黒板Ｂや黒板Ｂとの間に挟まれるスクリーンシート２を傷つけることもない。
また、軸部材３の幅寸法は、スクリーンシート２の幅寸法よりも若干大きくなっているため、もし、スクリーンシート２が一方に偏った状態で巻き取られることでズレが生じる場合であっても、スクリーンシート２の端部が支持部４ｂに接触することを防止することができる。
この軸部材３は、支持部材４によって回転自在に支持されている。
【００２３】
支持部材４は、円柱状の本体部４ａと、これの両端に設けられた、軸部材３の左右の端部を夫々支持する二つの支持部４ｂ、４ｂと、本体部４ａの中間に左右対称に設けられた二つの握持部４ｃ、４ｃと、二つの支持部４ｂ、４ｂの裏面側に夫々設けられた固定用磁石４ｄ、４ｄよりなる。
なお、支持部材４は、軸部材３の片側のみを支持するものとしてもよく、このような構成によればより簡易な構成として軽量且つ安価なものとすることができる。
【００２４】
支持部材４の本体部４ａは、軸部材３と略同一寸法の長さを有する円柱状のパイプで構成され、軸部材３と平行に設けられている。これにより、本体部４ａは把握しやすいものとなっているため、展張や収納を行う際にハンドルとして機能し、また、持ち運びする際にも持ちやすい持ち手として機能する。しかし、本体部４ａは、このような構成に限らずスクリーンシート２の展張作業を行うことができればよく、例えば、握持部４ｃ、４ｃよりも外側を、軸部材３側に向けて斜めに形成したり、板材による簡易な構成としたりすることで、製造コストの低廉化や軽量化したものであってもよい。
【００２５】
支持部材４の支持部４ｂ、４ｂは、軸部材３の左右の両端で軸部材３を回転自在に支持する、直方体状のものであって、軸部材３側の角が側面視において軸部材３よりも外方に突出しないものとして形成されている。これにより、ロール式スクリーン装置１を黒板Ｂに展張する際に、支持部材４を持って軸部材３を黒板Ｂに押しつけながら、軸部材３を回転させるように支持部材を操作しても支持部４ｂが黒板Ｂに接触せず黒板Ｂを傷つけない。
ここで、支持部４ｂは、直方体に限らず他の形状であってもよく、例えば側面視を小判型のように角丸に形成することで、展張作業において黒板Ｂを傷つけないものとしつつ、幅寸法をできる限り大きくすることで、強度を高いものとすることもできる。
【００２６】
支持部材４の握持部４ｃは、支持部材４の本体部４ａの中間に左右対称に二つ設けられている。スクリーンシート２の展張作業を行う際に、これらの握持部４ｃ、４ｃを握って操作することで、自然と左右のバランスのとれた位置で、ロール式スクリーン装置１を持つことができ、これを水平や垂直の状態で保持しやすく、また、スクリーンシート２の繰出しや巻取りの操作も容易に行うことができる。
また、握持部４ｃは、クッション性のある部材が支持部材本体部４ａに二つ固定されることで構成されているため、滑りにくく握り位置も視認しやすいといったメリットがあるが、これに限らず、支持部材本体部４ａに滑り止め加工を行ったものでもよく、また、中間に広く一つ設けられたものであってもよい。
【００２７】
支持部４の固定用磁石４ｄは、支持部材を貼着対象面に付着するための付着手段であって、支持部４ｄの裏面に設けられてなる。これにより、支持部材４を黒板Ｂに沿うように倒して支持部材４を黒板Ｂに固定することで、支持部材４があまり突出しない状態でスクリーンを使用することができる。
【００２８】
スクリーンシート２の先端側には、スクリーンシート２の繰出し及び巻取りをスムーズに行なうための、可撓性を有するエンドバー８が設けられ、このエンドバー８の中央には、第２の付着手段５である簡易固定用磁石５Ａと、フック７が設けられている。
【００２９】
簡易固定用磁石５Ａは、エンドバー８の中央で、側面視においてエンドバー８よりも若干貼着面側に突出して設けられている。このため、エンドバー８が黒板Ｂに接触することを防止できるが、簡易固定用磁石５Ａは、貼着面に対して側面視においてエンドバー８と面一を形成する位置に設けられたものであってもよく、他の構成であってもよい。
また、簡易固定用磁石５Ａは、エンドバー８に固定されているため、簡易な構成で高い強度を有するものとなっているが、これに限らず例えば、エンドバー８に対して回動自在に取りつけられたものとしてもよく、このような構成によれば、簡易固定用磁石５Ａを黒板Ｂに貼りつけた後に、軸部材３の角度を調整することができ、さらに、簡易固定用磁石５Ａがエンドバー８の中央に設けられているため、その自重によって左右のバランスをとりやすく、軸部材３を平行に調整しやすいので、結果としてスクリーンシート２を綺麗に貼ることができるものとなる。
【００３０】
支持部材４の中央には、エンドバー８との連結のための連結部６が設けられている。連結部６は略コ字状であって中央には、エンドバー８側のフック７に引掛ける、円柱状の連結バー６Ａが設けられている。
この連結部６は、ロール式スクリーン装置１の持運びのための持ち手にもなっているため、ロール式スクリーン装置１のような長尺物であっても、連結部６を用いてロール式スクリーン装置１を立てた状態で容易に持ち運ぶことができる。
【００３１】
連結バー６Ａは、スクリーンシート２を全て収納した状態においてフック７に係合するものである。この係合によって軸部材３とエンドバー８が連結されて、スクリーンシート２の繰出しが規制される。このため、ロール式スクリーン装置１を簡易固定用磁石５Ａで黒板Ｂに簡易固定した際に、スクリーンシート２が自重やエンドバー８の重みで降下しない。
また、軸部材３とエンドバー８が連結されることで、支持部材４の操作によって簡易固定用磁石５Ａを、黒板Ｂから取り外すことが可能となっている。
【００３２】
フック７は、板材を円弧状に曲げて形成されたものであって、エンドバー８の中央に設けられている。ここで、連結バー６Ａを挿入するための、フック７の挿入口は、連結バー６Ａの直径よりも若干小さい長さ寸法となっているため、連結バー６Ａとフック７とを連結する際、及びこれらの連結を解除する際には、一定以上の力で連結バー６Ａをフック７に嵌め込むことが必要である。
なお、連結部６は、フック７との係合が可能であればよく、フック７とともに他の一般的な構成も用いることができる。また、連結部６を簡易固定用磁石５Ａに設けてフック７を支持部材４に設けてもよく、このような構成によれば、操作する支持部材４の構成をより簡易なものとして軽量化することができる。
【００３３】
次に、図４に示すように、本実施の形態におけるロール式スクリーン装置１の黒板Ｂへの展張方法の一例について説明する。
【００３４】
まず、（ａ）に図示するように、ロール式スクリーン装置１の握持部４ｃ、４ｃを、両手で持ち、ロール式スクリーン装置１を水平にした状態で、黒板Ｂの貼着予定領域の上端にエンドバー８を位置させて、簡易固定用磁石５Ａを、黒板Ｂに貼りつける。このとき、握持部４ｃ、４ｃが支持部材４の中間で左右対称に設けられているため、ロール式スクリーン装置１を水平に維持しやすい。
次に、（ｂ）に図示するように、握持部４ｃ、４ｃを持ったまま支持部材４を斜め上方向に回転させるように移動させることで、支持部材４の連結バー６Ａをフック７から外して、支持部材４をエンドバー８から独立して移動可能なものとする。
その後、（ｃ）に図示するように、エンドバー８との連結を解除した支持部材４を、黒板Ｂに押し当てながら下方に移動させることで、軸部材３を回転させてスクリーンシート２を繰り出しながら黒板Ｂに貼りつけていく。
最後に、（ｄ）に図示するように、貼着予定領域の下端までスクリーンシート２を貼着した後に、支持部材４の固定用磁石４ｄを黒板Ｂに貼りつけるように、軸部材３を中心に支持部材４を回転させる。固定用磁石４ｄが黒板Ｂに貼りつけられることによって、支持部材４は黒板Ｂに固定され、同時に軸部材３及び連結手段６も固定され、ロール式スクリーン装置１の黒板Ｂへの展張が完了となる。
【００３５】
ロール式スクリーン装置１の取外方法については、上記展張方法の手順を逆に行うこととなる。
【００３６】
ここで、黒板は、平面視において中央が後方に反った凹曲形状であるものが多く、その曲率は様々であるため、曲率が大きいものに対してもスクリーンを展張することが考えられるが、ロール式スクリーン装置１は、このような曲率が大きい面に対しても展張が可能である。具体的な展張方法については、図５及び図６に沿って以下に説明する。
【００３７】
まず、（ａ）に図示するように、ロール式スクリーン装置１の握持部４ｃ、４ｃを、両手で持ち、ロール式スクリーン装置１を水平にした状態で、黒板Ｂの貼着予定領域の上端にエンドバー８を位置させる。このとき、軸部材３が左右両端部で黒板Ｂに当接するため、簡易固定用磁石５Ａを黒板Ｂに貼りつけることができない。
このため、（ｂ）に図示するように、簡易固定用磁石５Ａを黒板Ｂ側に向かって押しこむように、支持部材４を斜め上方へ移動させながら回転させる。この回転によって連結部６が黒板Ｂ側へ移動し、同時にこれにフック７にて連結された簡易固定用磁石５Ａが黒板Ｂに当接するまで移動して、簡易固定用磁石５Ａが黒板Ｂに固定される。
この後、更に支持部材４を回転させることによって、連結バー６Ａを黒板Ｂ側へ移動させようとすると、簡易固定用磁石５Ａが既に黒板Ｂに当接していることで、簡易固定用磁石５Ａが黒板Ｂから反力を受ける。このため、連結バー６Ａは黒板Ｂ方向に、フック７は簡易固定用磁石５Ａから黒板Ｂと反対方向に移動しようとして、連結バー６Ａとフック７との間に一定以上の力が加わることで、これらの連結が解除される。
連結バー６Ａとフック７との連結が解除された後は、上述の通常の展張方法を行うことで、ロール式スクリーン装置１の黒板Ｂへの展張が完了する。
【００３８】
図７には、本発明に係るロール式スクリーン装置の別の実施形態１Ａを示す。
ロール式スクリーン装置１Ａは、支持部材４の構成を簡易化したものであって、支持部材４の本体部４ａを軸部材３よりも短く構成したものとなっている。この本体部４ａの長さは、二つの握持部４ｃを設けるための最低限の寸法から設定される。本体部４ａの両端には、略Ｌ字型に加工された二つの板部材４ｅ、４ｅを介して二つの支持部４ｄ、４ｄが固定されている。
このような構成により、ロール式スクリーン装置１Ａは、更なる軽量化が可能であるとともに、板部材４ｅの折り曲げ部がロール式スクリーン装置１Ａを持ち運ぶ際の持ち手ともなることで、持ち運びしやすいため、簡易な持運び用のロール式スクリーン装置としてより好適なものとなっている。
また、ロール式スクリーン装置１Ａの一端には、吊りベルト９が設けられているため、例えば黒板Ｂの側面にフックを設けておくことで、使用しない場合に吊りベルト９を利用して、フックに引掛けておくことが可能である。
【００３９】
その他の構成については、ロール式スクリーン装置１と同様であり、同一構造については同一の符号を付してその説明を省略する。
【００４０】
以上の説明においては、スクリーンシートはシート全体に貼着力を有するものを示したが、スクリーンシートはこのようなものに限定されるものではなく、部分的に磁力や接着力等を有するものとすることで、取り外し易いものとして構成してもよい。
また、付着手段や第２の付着手段として磁石を用いるものとして説明したが、これらの磁石の表面にシート状の緩衝材を設けることで、黒板を傷つけることを防止するものとしてもよく、また、付着手段は、貼着対象面に付着可能なものであれば他の構成であってもよく、例えば、吸盤を用いることで軽量且つ簡易な構成とするとともに、貼着対象面に傷がつき難いものとしてもよい。
【符号の説明】
【００４１】
１     ロール式スクリーン装置
１Ａ   ロール式スクリーン装置
２     スクリーンシート
３     軸部材
４     支持部材
４ａ   本体部
４ｂ   支持部
４ｃ   握持部
４ｄ   固定用磁石
４ｅ   板部材
５     簡易固定用磁石
６     連結部
６Ａ   連結バー
７     フック
８     エンドバー
９     ベルト
Ｂ     黒板
【図１】
0006331860.tif 000002
【図２】
0006331860.tif 000003
【図３】
0006331860.tif 000004
【図４】
0006331860.tif 000005
【図５】
0006331860.tif 000006
【図６】
0006331860.tif 000007
【図７】
0006331860.tif 000008